(57)【要約】【課題】フィルタの構造を改良することによって、簡単な構成で室内機内部のオゾン殺菌を確実に行うことのできる空気調和機の室内機を提供する。【解決手段】室内機の吸込口の内側であって吸込口を覆うフィルタ面４ｂとこのフィルタ面４ｂに連続して設けられ吸込口と吹出口を覆うことが可能な気密面４ａとを備えるロール状フィルタ４と、ロール状フィルタ４を移動させる巻取機５と、ロール状フィルタ４の内側にあってオゾンを発生させるオゾン発生装置９と、ロール状フィルタ４の気密面４ａを吸込口と吹出口を覆う位置に移動させることで室内機１内部から室内への気体の流出を遮断し、オゾン発生装置９より室内機１内部にオゾンを発生させる制御手段１１とを備える。【選択図】図１
2009085579.tif 000002
【特許請求の範囲】
【請求項１】
吸込口と吹出口を有する空気調和機の室内機において、
前記吸込口の内側であって前記吸込口を覆うフィルタ面と前記フィルタ面に連続して設けられ前記吸込口および前記吹出口を覆うことが可能な気密面とを備えるロール状フィルタと、
前記ロール状フィルタのフィルタ面を前記吸込口を覆う位置と、前記ロール状フィルタの気密面を前記吸込口および前記吹出口を覆う位置に移動させるフィルタ移動手段と、
前記ロール状フィルタの内側にあってオゾンを発生させるオゾン発生装置と、
前記フィルタ移動手段によって前記ロール状フィルタの気密面を前記吸込口および前記吹出口を覆う位置に移動させることによって前記室内機内部から室内への気体の流出を遮断し、前記オゾン発生装置より前記室内機内部にオゾンを発生させる制御手段と、
を備えることを特徴とする空気調和機の室内機。
【請求項２】
前記吸込口は、前記室内機本体前面上部及び本体上面に設けられ、前記吹出口は、前記室内機本体前面下部に設けられ、
前記フィルタ移動手段は、本体上面に設けられた吸い込み口近傍に配設され、前記ロール状フィルタを前記室内機内部において巻き取り、または繰り出す第１の巻取機及び前記吹出口近傍に配設され、前記ロール状フィルタを前記室内機内部において巻き取り、または繰り出す第２の巻取機から構成されることを特徴とする請求項１に記載の空気調和機の室内機。
【請求項３】
前記オゾン発生装置によって発生され前記室内機内部に充満したオゾンを前記室内機外部に排気する排気ファンをさらに備えることを特徴とする請求項１または２に記載の空気調和機の室内機。
【請求項４】
前記ロール状フィルタは、その両端部に前記気密面と前記フィルタ面とをつなぐ紐部を備えることを特徴とする請求項１ないし請求項３のいずれかに記載の空気調和機の室内機。
【請求項５】
前記ロール状フィルタは、前記気密面が前記第１の巻取機に巻き取られ前記フィルタ面が前記吸い込み口を覆う位置にあるとき、前記吹出口に当たる領域には前記紐部のみが設けられていることを特徴とする請求項４に記載の空気調和機の室内機。
【請求項６】
前記第１の巻取機と前記第２の巻取機との間に前記ロール状フィルタのフィルタ面を清掃するフィルタ清掃装置を備えることを特徴とする請求項１ないし請求項５のいずれかに記載の空気調和機の室内機。
【発明の詳細な説明】
【技術分野】
【０００１】
本発明は、長期に亘ってその内部を清潔に保つことのできる空気調和機の室内機に関する。
【背景技術】
【０００２】
従来より空気調和機の室内機を清掃せずに長期間運転すると、例えば熱交換器やフィルタ等にかび細菌類が増殖して運転開始時に悪臭が発生する、或いは塵埃が付着し運転効率が低下するといった、室内機内部の汚れに起因する弊害が指摘されていた。
【０００３】
このかび細菌類の増殖に対しては、例えば以下の特許文献１において、室内機本体内部にオゾン発生手段を備え、且つ本体下部に設けた空気吹出口を閉じることのできる構成にしたオゾン発生装置付空気調和機が提案されている。このオゾン発生装置付空気調和機は、室内機の停止中に吹出口を閉塞してオゾンを発生させ、かび細菌類を殺菌し脱臭する。
【０００４】
また、フィルタに塵埃が付着し運転効率が低下する点については、例えば、以下の特許文献２においてこの弊害を除去することのできる発明の構成が開示されている。すなわち、室内機内に塵埃を除去する手段として、パネルの前面側から熱交換器の頂部上を経てパネルの上面側にかけて配置された湾曲変形可能なフィルタと、このフィルタを室内機筐体内で往復的に移動させるフィルタ移動手段と、熱交換器の頂部付近に配置され、フィルタの移動に伴ってフィルタからゴミを掻き取るゴミ取り部とを備えている。この発明によれば、このフィルタを室内機内部で移動させ、ゴミ取り部を通過させることでフィルタに付着したゴミを除去し、フィルタ清掃を自動で行う。
【特許文献１】特開平４−４２６４８号公報
【特許文献２】特開２００４−４４９３３号公報
【発明の開示】
【発明が解決しようとする課題】
【０００５】
しかしながら、上述の特許文献１に開示されている発明の構成では、オゾン発生中は吹出口を閉塞するが、室内機にはこの吹出口以外に吸込口も室内に開口している。このため室内機内部に充満させたオゾンが吸込口から室内へと漏れる可能性があるが、特許文献１においてはこの点に対する解決法は開示されていない。さらに吸込口に開閉可能な蓋体を設けることも考えられるが、構造が複雑になるという問題がある。
【０００６】
また、特許文献２に開示されている発明の構成では、確かにフィルタに付着した塵埃の除去を行うことはできるが、室内機内部に発生するかび細菌類への対応がなされていない。
【０００７】
本発明は上記課題を解決するためになされたものであり、本発明の目的は、フィルタの構造を改良することによって、簡単な構成でフィルタの清掃を行うことができるとともに、室内機内部にオゾンを充満させても室内機外部への漏洩を最小限に抑えて室内機内部のオゾン殺菌を確実に行うことのできる空気調和機の室内機を提供することである。
【課題を解決するための手段】
【０００８】
本発明の実施の形態に係る特徴は、吸込口と吹出口を有する空気調和機の室内機において、吸込口の内側であって吸込口を覆うフィルタ面とフィルタ面に連続して設けられ吸込口および吹出口を覆うことが可能な気密面とを備えるロール状フィルタと、ロール状フィルタのフィルタ面を吸込口を覆う位置と、ロール状フィルタの気密面を吸込口および吹出口を覆う位置に移動させるフィルタ移動手段と、ロール状フィルタの内側にあってオゾンを発生させるオゾン発生装置と、フィルタ移動手段によってロール状フィルタの気密面を吸込口および吹出口を覆う位置に移動させることによって室内機内部から室内への気体の流出を遮断し、オゾン発生装置より室内機内部にオゾンを発生させる制御手段とを備える。
【発明の効果】
【０００９】
本発明によれば、フィルタの構造を改良することによって、室内機内部にオゾンを充満させても室内機外部への漏洩を抑えて室内機内部のオゾン殺菌を確実に行うことのできる空気調和機の室内機を提供することができる。
【発明を実施するための最良の形態】
【００１０】
以下、本発明の実施の形態について図面を参照して詳細に説明する。
【００１１】
図１は、空気調和機の室内機１の内部構造を模式的に示した断面図である。図１には図示していないが、室内機１は室外機Ａと接続され、室内機１と室外機Ａとの間では冷凍サイクルが構成されている。室内機１は、室内の高所壁面に取り付けられる壁掛け式の室内機である。
【００１２】
図１に示すように、室内機１は、その本体前面上部及び上面に吸込口２ａ，２ｂが形成され、本体前面下部には下向きに開口する吹出口３が形成されている。吹出口３にはルーバ３ａ，３ｂが設けられており、このルーバ３ａ，３ｂを動かすことによって室内に供給される空気の向きを変えることができる。
【００１３】
室内機１の内部であって吸込口２ａ，２ｂに対向する領域には、この吸込口２ａ，２ｂの全領域を覆うことが可能とされるロール状フィルタ４が設けられている。ロール状フィルタ４の長手方向の一端は、吸込口２ｂの近傍に配設され、ロール状フィルタ４を巻き取り、または繰り出す第１の巻取機５ａに巻き付けられて固定されている。また、長手方向の他端は、吹出口３の近傍に配設され、ロール状フィルタ４を巻き取り、または繰り出す第２の巻取機５ｂに巻き付けられて固定されている。なお、この第１の巻取機５ａ及び第２の巻取機５ｂは、この２つ合わせてフィルタを移動させるフィルタ移動手段を構成しており、以下適宜まとめて「巻取機５」と表わす。
【００１４】
また、ロール状フィルタ４が第２の巻取機５ｂに巻き取られる直前の位置には、通過するロール状フィルタ４に付着した塵埃を除去するフィルタ清掃装置６が設けられている。
【００１５】
ロール状フィルタ４の内側には、吸込口２ａ，２ｂと対向する位置に略逆Ｖの字の形状に形成されている熱交換器７ａ，７ｂが、また、これらの熱交換器７ａ，７ｂに挟まれるように室内機１の内部中央に室内ファン８が設けられている。さらに、吸込口２ａ，２ｂの間、熱交換器７ａが設けられている部分にはオゾン発生装置と兼用される電気集塵機９が設けられている。吸込口２ａ，２ｂから室内機１の内部に入った室内の空気は、熱交換器７ａ，７ｂを通って熱交換され、室内ファン８の回転によって吹出口３から室内に送り出される。
【００１６】
電気集塵機９はオゾン発生装置を兼ね、後述するように、室内機１の内部を殺菌するために室内機１の内部をほぼ密閉状態にしてオゾンを充満させる。そのため、この充満させたオゾンを室内機１の外部に排気するための排気ファン１０が設けられている。
【００１７】
室内機１の制御、例えば、ロール状フィルタ４の巻き取り、繰り出し、或いは電気集塵機９を駆動してオゾンを発生させる等は、後述する図３に示す制御手段１１によって行われる。
【００１８】
ロール状フィルタ４は、図２に示すように、第１の巻取機５ａから第２の巻取機５ｂに向けて気密面４ａ、フィルタ面４ｂがその長手方向に連続して接続されている。そしてロール状フィルタ４の短手方向両端部には、紐部４ｃ，４ｃが設けられ、この紐部４ｃ，４ｃが気密面４ａとフィルタ面４ｂとが接続するそれぞれの端部と直交する端部を結んで第１の巻取機５ａと第２の巻取機５ｂに巻き付けられている。紐部４ｃ，４ｃは、室内機１内において、吸込口２ａ，２ｂ及び吹出口３よりも側方に位置している。
【００１９】
気密面４ａは、柔軟性をもち、吸込口２ａ，２ｂ及び吹出口３を覆った場合に、室内機１の内部をほぼ気密に封止することができる、例えばビニール素材によって構成される。また、フィルタ面４ｂは吸込口２ａ，２ｂから室内機１の内部に吸い込まれた室内の空気に含まれる塵埃を除去するためのものである。従って、吸込口２ａ，２ｂの全領域を覆う大きさを有するとともに、併せて巻取機５に巻き取られることが可能な柔軟性を備えている。
【００２０】
紐部４ｃ，４ｃは、巻取機５に巻き付けられており、巻取機５が回転駆動するに伴って気密面４ａ及びフィルタ面４ｂとともにいずれかの巻取機５に巻き取られることになる。従って、紐部４ｃ，４ｃは、柔軟性及び必要な強度を備えているとともに、巻き取りを行うことによって伸びが発生するとロール状フィルタ４の室内機１内部における位置合わせが困難となることから、できる限り伸縮性のない、例えば、スチールベルト等を用いることが好ましい。なお、ロール状フィルタ４の左右方向のたるみを防止するため、紐部４ｃ，４ｃの通過位置が左右方向にずれないよう、紐部４ｃ，４ｃの通路にはローラー（図示しない）が設けられる。
【００２１】
フィルタ面４ｂが気密面４ａと接続される端部と対向する端部には何も設けられていない。従って、フィルタ面４ｂと第２の巻取機５ｂとの間は空間４ｄとなっており、第２の巻取機５ｂに巻き付けられている両端の紐部４ｃ，４ｃのみが存在することになる。
【００２２】
第１の巻取機５ａ及び第２の巻取機５ｂがそれぞれ第１の巻取機モータ５ａ１，第２の巻取機モータ５ｂ１によって回転駆動させられ、巻き取り、或いは繰り出し動作を行うことによって、ロール状フィルタ４は、図２に示す矢印のいずれかの方向に移動する。一方の巻取機５がロール状フィルタ４を巻き取っているときには、他方のロール状フィルタ４を繰り出す側の巻取機モータはわずかな抵抗を残してフリーの状態となる。
【００２３】
図１に示す室内機１は、室内機１が運転状態にある場合を示している。すなわち、ロール状フィルタ４の気密面４ａは第１の巻取機５ａに巻き取られて室内機１の内部には出ていない。一方、気密面４ａと接続されているフィルタ面４ｂが図１においてハッチングされて示されるように、吸込口２ａ，２ｂの全領域を覆っている。また、フィルタ面４ｂから第２の巻取機５ｂまでの間は紐部４ｃ，４ｃしかない空間４ｄとなり、そのため、吹出口３の領域において室内機１から室内への送風を遮るものはない。
【００２４】
第２の巻取機５ｂの直前にはフィルタ清掃装置６が設けられている。このフィルタ清掃装置６では、第２の巻取機５ｂに巻き取られるフィルタ面４ｂに付着した塵埃を除去してフィルタ面４ｂの清掃を行う装置である。フィルタ面４ｂを清掃する方法はどのような方法を採用しても良いが、例えば、フィルタ面４ｂに当たり塵埃を直接掻き取る固定ブラシを設けたり、或いは、ブラシを回転駆動して清掃するようにしても良い。
【００２５】
図３は、空気調和機の室内機全体を制御する制御器からなる制御手段１１の内部構成を示すブロック図である。図３に示すように、例えば、ワイヤレスリモコンＬを介して室内機１に対して運転指示が出される。ワイヤレスリモコンＬからの運転指示を受けた受信回路１１ａは、制御回路１１ｂに信号を送信し、制御回路１１ｂがその運転指示に基づいて室内機１を構成する各部を制御する。制御回路１１ｂはマイクロコンピュータ等からなり、制御回路１１ｂは、上述した巻取機５、室内ファン８、電気集塵機９や排気ファン１０はそれぞれ、第１の巻取機モータ駆動回路１１ｃ、第２の巻取機モータ駆動回路１１ｄ、室内ファン駆動回路１１ｅ、高圧電源回路１１ｆ、排気ファン駆動回路１１ｇを介して制御する。なお、第１の巻取機５ａは、第１の巻取機モータ５ａ１によって駆動され、第２の巻取機５ｂは、第２の巻取機モータ５ｂ１によって駆動される。また、室外機通信回路１１ｈを介して室外機Ａとの間で通信のやり取りが行われる。
【００２６】
次に、室内機１の内部において行われるフィルタ面４ｂの清掃及びオゾンによる殺菌の手順について、図４に示すフローチャートを用いて詳述する。
【００２７】
まず、ワイヤレスリモコンＬ等によって空気調和機（室内機１）に対して運転指示が出された場合には、その運転指示が通常運転停止の指示、或いはクリーン運転の指示であるか否かが制御回路１１ｂによって判断される（ＳＴ１）。ここで「通常運転」とは、空気調和機が冷凍サイクルを使用して室内の暖房や冷房等を行う、いわゆる空気調和機が行う普通の運転モードを指す。また、「クリーン運転」とは、フィルタ面４ｂの清掃及び室内機１内部の殺菌を行うための運転モードを指す。
【００２８】
なお、クリーン運転の指示は図３の制御回路１１ｂ内に設けられている計時手段１１ｂ１の計時によって空気調和機の積算運転時間が所定の時間に達した場合に自動的に出されるようにしても良い。さらには、通常運転から停止への移行の都度、クリーン運転を実施するようにしてもよい。
【００２９】
指示された運転指示が、通常運転の指示であった場合には（ＳＴ１のＮＯ）、通常運転の処理が行われ（ＳＴ２）、室内機１内部の清掃、殺菌は行われない。
【００３０】
一方、クリーン運転の指示であった場合には（ＳＴ１のＹＥＳ）、まず室外機Ａの各部（例えば、図示しない圧縮機や室外ファン）及び室内機１を構成する電気集塵機９、室内ファン８、排気ファン１０の駆動を停止（ＯＦＦ）する（ＳＴ３）。なお、この際、吹出口３の前方に位置するルーバ３ａ，３ｂを、停止中の美観のため、吹出口３を閉じる位置に移動させた後、停止させても良い。
【００３１】
各部の駆動が停止した後、制御回路１１ｂは第２の巻取機モータ駆動回路１１ｄを介して第２の巻取機モータ５ｂ１をＯＮし、第２の巻取機５ｂを駆動してロール状フィルタ４を巻き取る（ＳＴ４）。第２の巻取機５ｂによる巻き取りが開始される直前のロール状フィルタ４の状態は、図１に示すように、フィルタ面４ｂが吸込口２ａ，２ｂの全領域を覆っている。従って、第２の巻取機５ｂはまず吹出口３の領域に位置していた空間４ｄの両端の紐部４ｃ，４ｃを巻き取り、次にフィルタ面４ｂを巻き取る。一方、このとき第１の巻取機５ａはフリーの状態となり、ここからフィルタ面４ｂに連続して接続されている気密面４ａが送り出される。
【００３２】
また、第２の巻取機５ｂがロール状フィルタ４を巻き取るのに伴ってフィルタ清掃装置６が通過するフィルタ面４ｂの塵埃の除去を行う。このフィルタ清掃装置６において除去された塵埃は、フィルタ清掃装置６内に溜めておいても、或いは、排気ファン１０を用いて屋外へ排出するようにしても良い。
【００３３】
ロール状フィルタ４が巻き取られたか否かは、制御回路１１ｂによって予め規定されている所定時間が経過したか否かが判断される（ＳＴ５）。この所定時間は、ロール状フィルタ４を巻き取る第２の巻取機５ｂを駆動する第２の巻取機モータ５ｂ１の能力やロール状フィルタ４の長さ等によって任意に定めることができる。
【００３４】
上述したように、第２の巻取機５ｂがロール状フィルタ４を巻き取るに伴って、第１の巻取機５ａからは気密面４ａが繰り出される。従って、換言すれば、第２の巻取機５ｂがロール状フィルタ４を巻き取る所定の時間とは、吸込口２ａ，２ｂ及び吹出口３の全領域を気密面４ａが覆うのに必要な時間と言いうる。図５は、気密面４ａによって吸込口２ａ，２ｂ及び吹出口３の全領域が覆われた状態を示す室内機１の断面図である。
【００３５】
吸込口２ａ，２ｂ及び吹出口３の全領域が気密面４ａで覆われると、第２の巻取機モータ５ｂ１の駆動が停止されるとともに、電気集塵機９に高圧電源回路１１ｆから高電圧が印加され、電気集塵機９がオゾンを発生させる（ＳＴ６）。なお、フィルタ清掃装置６を制御手段１１が駆動している場合には、ここでフィルタ清掃装置６の駆動がＯＦＦされる。
【００３６】
なお、本発明の実施の形態においては、電気集塵機９をオゾン発生装置として使用している。これは、電気集塵機９の放電電極に高電圧を印加し通常の集塵作用を行わせると、放電電極での放電に伴いオゾンが発生するため、電気集塵機９をオゾン発生装置として使用できることに基づく。また、電気集塵機９の放電電極に、集塵時よりも集塵電極との間の電位差が大きくなるように、より高電圧を印加すると一層多くのオゾンを発生させることができる。すなわち、電気集塵機９に通常の集塵作用を行わせるとともに、周囲の空気の動きを制限するよう室内ファンを停止、或いは低速運転した状態で、放電電極に印加電圧を変えることのできる高圧電源回路（本発明の実施の形態では１１ｆ）からより高い電圧を印加することにより、電気集塵機９を多くのオゾンを発生させるオゾン発生装置として使用することができる。
【００３７】
上述したように、ロール状フィルタ４の気密面４ａが吸込口２ａ，２ｂ及び吹出口３の全領域を覆っているので、電気集塵機９によって生成されたオゾンは室内機１内部に充満し、室内に漏洩することはほとんどない。確かに気密面４ａで覆っても室内機１内部が完全に気密に封止されるわけではないので、全く漏洩がないわけではないが気密面４ａと室内機１内部の部品との隙間を極力少なくすることにより室内への漏洩を最小限に抑えることが可能となる。
【００３８】
従って、室内機１内部に高濃度のオゾンを発生させて充満させることも可能となる。さらに室内ファン８を低速で駆動させれば、室内機１内部の空気が攪拌され、高濃度のオゾン空気を室内機１内部全体に行き渡らせることができる。これによって、例えば、熱交換器７や室内ファン８等に付着して繁殖するかび細菌類を確実に殺菌することができる。
【００３９】
オゾンによる殺菌は予め決められた所定の時間行われる（ＳＴ７）。この所定時間は、例えば、２〜３分であり、制御回路１１ｂが計時、判断する。所定の時間が経過すると（ＳＴ７のＹＥＳ）、電気集塵機９への通電を停止して、オゾンの発生を終了させる。そして室内機１内部に充満しているオゾンを室内機１の外へと排気する（ＳＴ８）。この排気は、制御回路１１ｂから排気ファン駆動回路１１ｇを介して排気ファン１０を駆動することにより行われる。
【００４０】
この排気運転は室内機１を構成する排気ファン１０の能力によってどのくらいの時間行われるかが決定される。そしてこの所定の時間が経過したか否かが判断され（ＳＴ９）、所定時間経過後、第１の巻取機モータ５ａ１がＯＮし、第１の巻取機５ａがロール状フィルタ４の巻き取りを開始する（ＳＴ１０）。室内機１内部の清掃、殺菌中は図５に示すように吸込口２ａ，２ｂ及び吹出口３の全領域を気密面４ａが覆っている。第１の巻取機５ａがロール状フィルタ４を巻き取ることによって、第２の巻取機５ｂからフィルタ面４ｂが繰り出されてくる。このとき室内機１内部の各部の駆動は停止されている。なお、フィルタ面４ｂが第２の巻取機５ｂから繰り出される際にフィルタ清掃装置６を通過するので、改めてフィルタ面４ｂの清掃を行っても良い。
【００４１】
ロール状フィルタ４が第１の巻取機５ａに巻き取られたか否かは、制御回路１１ｂによって予め規定されている所定時間が経過したか否かを基に判断される（ＳＴ１１）。この所定時間は、上述したのと同様、ロール状フィルタ４を巻き取る第１の巻取機５ａを駆動する第１の巻取機モータ５ａ１の能力やロール状フィルタ４の長さ等によって任意に定めることができる。
【００４２】
所定時間経過してロール状フィルタ４の気密面４ａが全て第１の巻取機５ａに巻き取られると、第１の巻取機モータ５ａ１の駆動が停止する（ＳＴ１２）。これによって、図１に示すように、改めてロール状フィルタ４のフィルタ面４ｂが吸込口２ａ，２ｂに対向する領域に戻り、クリーン運転が終了する。
【００４３】
このようにフィルタの構造を改良し、上述した手順によって室内機内部のフィルタ面の清掃及び殺菌を行うことにより、簡単な構成でフィルタの清掃を行うことができるとともに、室内機内部にオゾンを充満させても室内機外部へのオゾンの漏洩を最小限に抑えることができるため室内機内部のオゾン殺菌を確実に行うことのできる空気調和機の室内機を提供することができる。
【００４４】
また、ロールフィルタの巻取り途中にフィルタ清掃装置を設けたため、上述の室内機の内部のクリーン運転中に自動的にフィルタの清掃を実施できる。
【００４５】
なお、この発明は、上記実施の形態そのままに限定されるものではなく、実施段階ではその要旨を逸脱しない範囲で構成要素を変形して具体化できる。
【００４６】
さらに、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００４７】
【図１】本発明の実施の形態に係る空気調和機の室内機の内部構造を模式的に示した断面図である。
【図２】本発明の実施の形態に係るロール状フィルタの構成を示す構成図である。
【図３】本発明の実施の形態に係る室内機の制御手段の内部構成を示すブロック図である。
【図４】室内機の内部において行われるフィルタ面の清掃及びオゾンによる殺菌の手順を示すフローチャートである。
【図５】本発明の実施の形態に係る空気調和機の室内機の内部構造（気密面が吸込口及び吹出口の全領域を覆った状態）を模式的に示した断面図である。
【符号の説明】
【００４８】
１…室内機、２ａ…本体前面上部の吸込口、２ｂ…本体上面の吸込口、３…吹出口、４…ロール状フィルタ、４ａ…気密面、４ｂ…フィルタ面、４ｃ…紐部、５ａ…第１の巻取機、５ｂ…第２の巻取機、６…フィルタ清掃装置、７…熱交換器、８…室内ファン、９…電気集塵機（オゾン発生装置）、１０…排気ファン、１１…制御手段
【図１】
2009085579.tif 000003
【図２】
2009085579.tif 000004
【図３】
2009085579.tif 000005
【図４】
2009085579.tif 000006
【図５】
2009085579.tif 000007